(57)【特許請求の範囲】
【請求項１】
天井と床面とを含む空間において前記床面に設置され、前記天井に平行な横臥面に利用者が横臥する寝具と、
前記横臥面に対して上向きに放音する上向スピーカと、
前記上向スピーカを前記寝具に取り付ける上向取付部とを備え、
前記上向取付部は、前記天井と前記床面との間の定在波が低減されるように前記横臥面よりも外側に放音する状態で前記上向スピーカを保持する
寝具用音響システム。
【請求項２】
前記上向スピーカを複数備え、
前記上向取付部は、前記複数の上向スピーカの各々を前記寝具に取り付ける
請求項１に記載の寝具用音響システム。
【請求項３】
前記上向取付部は、前記複数の上向スピーカのうち２個の上向スピーカの各々を、前記寝具において利用者が横臥する際に頭部を向ける側の左右端部に取り付ける
請求項２に記載の寝具用音響システム。
【請求項４】
前記複数の上向スピーカの各々に相異なるチャネルの音響信号を供給する信号生成装置
を具備する請求項２または３に記載の寝具用音響システム。
【請求項５】
前記横臥面に対して下向きに音を放音する下向スピーカと、
前記下向スピーカを前記寝具に取り付ける下向取付部と
を備える請求項１乃至３のうちいずれか１項に記載の寝具用音響システム。
【請求項６】
前記下向スピーカを複数備え、
前記下向取付部は、前記複数の下向スピーカの各々を前記寝具に取り付け、
前記複数の下向スピーカの各々に相異なるチャネルの音響信号を供給する信号生成装置
を具備する請求項５に記載の寝具用音響システム。
【請求項７】
天井と床面とを含む空間において前記床面に設置され、前記天井に平行な横臥面に利用者が横臥する寝具に利用される音響装置であって、
前記横臥面に対して上向きに放音する上向スピーカと、
前記上向スピーカを前記寝具に取り付ける上向取付部とを備え、
前記上向取付部は、前記天井と前記床面との間の定在波が低減されるように前記横臥面よりも外側に放音する状態で前記上向スピーカを保持する
寝具用音響装置。
【請求項８】
前記上向スピーカを複数備え、
前記上向取付部は、前記複数の上向スピーカの各々を前記寝具に取り付ける
請求項７に記載の寝具用音響装置。
【請求項９】
前記上向取付部は、前記複数の上向スピーカのうち２個の上向スピーカの各々を、前記寝具において利用者が横臥する際に頭部を向ける側の左右端部に取り付ける
請求項８に記載の寝具用音響装置。
【請求項１０】
前記複数の上向スピーカの各々に相異なるチャネルの音響信号を供給する信号生成装置
を具備する請求項８または９に記載の寝具用音響装置。
【請求項１１】
前記横臥面に対して下向きに音を放音する下向スピーカと、
前記下向スピーカを前記寝具に取り付ける下向取付部と
を備える請求項７乃至９のうちいずれか１項に記載の寝具用音響装置。
【請求項１２】
前記下向スピーカを複数備え、
前記下向取付部は、前記複数の下向スピーカの各々を前記寝具に取り付け、
前記複数の下向スピーカの各々に相異なるチャネルの音響信号を供給する信号生成装置
を具備する請求項１１に記載の寝具用音響装置。
【請求項１３】
前記下向スピーカから放音される音を反射する位置に設置され、前記下向スピーカから放音される音を反射することによって拡散させる拡散材を備える
請求項１１または１２に記載の寝具用音響装置。
【発明の詳細な説明】
【技術分野】
【０００１】
本発明は、音場に広がりをだすとともに快適な音響空間を寝具の利用者に提供する技術に関する。
【背景技術】
【０００２】
寝具の利用者に快適な音響空間を提供するための各種の技術が従来から提案されている。例えば特許文献１には、リラクゼーション効果を高めるために、音響機構を備えた寝具に関する技術が開示されている。具体的には、寝具の利用者が就寝時に横臥する面に対して垂直方向に音を放音するスピーカを、利用者の就寝時に頭部の左右に配置する寝具構造が開示されている。
【先行技術文献】
【特許文献】
【０００３】
【特許文献１】特開２０００−８３７６６号公報
【発明の概要】
【発明が解決しようとする課題】
【０００４】
しかし、特許文献１の技術では、スピーカは、利用者が就寝時に横臥する面に対して垂直方向に、つまり天井に対して直角に音を放音するので、天井で反射した音はあまり拡散せず立体的なサラウンド効果が得られにくい。また、天井と床面とで反射を繰り返すことで定在波が発生し、特定の周波数帯域の音が大きく聞こえたり、逆に小さく聞こえたりするため寝具の利用者にとって快適な音響空間とはいえない。以上の事情を考慮して、本発明は、定在波の発生を低減させつつ、天井で反射した音をより拡散させることを解決課題の一つとする。
【課題を解決するための手段】
【０００５】
以上の課題を解決するために、本発明に係る寝具用音響システムの一態様は、寝具と、寝具の利用者が横臥する面に対して上向きに音を放音する上向スピーカと、上向スピーカを寝具に取り付ける上向取付部とを備え、上向取付部は、利用者が横臥する面よりも外側に対して音を放音するように上向スピーカを傾けた状態で保持する。この態様では、利用者が横臥する面に対して上向きで、かつ、利用者が横臥する面よりも外側に音が放音される。寝具の利用者が横臥する面に対して垂直方向に音が放音される態様では、上向スピーカから放音される音は、寝具が置かれている部屋の天井に対して略直角で反射するため、天井で反射した音はあまり拡散しない。また、天井と床面とで反射を繰り返すことで定在波が発生しやすい。前述の態様では、上向スピーカから放音される音は、寝具が置かれている部屋の天井に対して傾斜して反射する。したがって、天井で反射した音がより拡散することで音場を広げることができる。また、定在波の発生を低減できるので、快適な音響空間を利用者に提供することが可能である。
【０００６】
本発明の好適な態様において、上向スピーカを複数備え、上向取付部は、複数の上向スピーカの各々を取り付ける。この態様では、複数の上向スピーカから音が放音される。したがって、上向スピーカの個数が１個の場合と比較して、この態様によれば、上向きに音を放音する音源の総数が多いので、より音場が広がる。
【０００７】
本発明の好適な態様において、上向取付部は、複数の上向スピーカのうち２個の上向スピーカの各々を、寝具において利用者が横臥する際に頭部を向ける側の左右端部に取り付ける。この態様では、複数の上向スピーカのうち２個の上向スピーカの各々が寝具において利用者が横臥する際に頭部を向ける側の左右端部に取り付けられる。したがって、２個の上向スピーカの各々が寝具において利用者が横臥する際に頭部を向ける側の左右端部よりも内側に取り付けた場合と比較して、この態様によれば、２個の上向スピーカの各々が放音した音の天井での反射位置が離れるので、より音場を広げることができる。
【０００８】
本発明の好適な態様において、利用者が横臥する面に対して下向きに音を放音する下向スピーカと、下向スピーカを寝具に取り付ける下向取付部とを備える。この態様では、寝具の利用者が横臥する面に対して上向きに音が放音されるとともに、寝具の利用者が横臥する面に対して下向きにも音が放音される。したがって、上向スピーカのみを具備する場合と比較して、この態様によれば、上向スピーカが放音する音が天井で反射する音に加えて、下向スピーカが放音する音が床面で反射する音を利用者は聴取することができるので、より音場を広げることができる。
【０００９】
本発明の好適な態様において、複数のチャンネルの音響信号を生成する信号生成装置を備え、複数の上向スピーカの各々には、複数のチャネルの音響信号のうちの１つが割り当てられる。この態様では、複数の上向スピーカの各々に、複数のチャネルの音響信号のうちの１つが割り当てられる。したがって、複数の上向スピーカの各々に同一のチャンネルの音響信号が割り当てられる場合と比較して、この態様によれば、上向スピーカの各々が、相異なるチャンネルの音響信号に応じた音を放音するので、寝具の利用者がより臨場感を感じることができる。
【００１０】
本発明の好適な態様において、複数のチャンネルの音響信号を生成する信号生成装置と、下向スピーカを複数備え、下向取付部は、複数の下向スピーカの各々を取り付け、複数の下向スピーカの各々には、複数のチャネルの音響信号のうちの１つが割り当てられる。この態様では、下向スピーカの各々には、複数のチャネルの音響信号のうちの１つが割り当てられる。したがって、複数の下向スピーカの各々に同一のチャンネルの音響信号が割り当てられる場合と比較して、この態様によれば、下向スピーカの各々が、相異なるチャンネルの音響信号に応じた音を放音するので、寝具の利用者がより臨場感を感じることができる。
【００１１】
本発明の好適な態様において、下向スピーカから放音される音を反射する位置に設置され、下向スピーカから放音される音を反射することによって拡散させる拡散材を備える。この態様では、下向スピーカから放音される音が拡散材で反射されることによって拡散する。したがって、拡散材を備えず、例えば下向スピーカから放音される音を床面（例えばカーペット）が反射する場合と比較して、この態様によれば、下向スピーカから放音される音が床面で吸収されるのを低減するとともに、下向スピーカから放音される音の反射音を様々な方向に拡散させることが可能である。
【００１２】
本発明は、前述の各寝具用音響システムの寝具を要件としない寝具用音響装置としても特定される。本発明の寝具用音響装置の一態様は、寝具の利用者が横臥する面に対して上向きに音を放音する上向スピーカと、上向スピーカを寝具に取り付ける上向取付部とを備え、上向取付部は、利用者が横臥する面よりも外側に対して音を放音するように上向スピーカを傾けた状態で保持する。
【図面の簡単な説明】
【００１３】
【図１】本実施形態に係る寝具用音響システムの構成図である。
【図２】スピーカ装置の断面図である。
【図３】上向スピーカの指向軸の説明図である。
【図４】対比例における上向スピーカが放音する音の説明図である。
【図５】上向スピーカが放音する音の説明図である。
【発明を実施するための形態】
【００１４】
図１は、本実施形態に係る寝具用音響システム１００の構成図である。寝具用音響システム１００は、反射音を利用した立体的なサラウンド効果と快適な音響空間とを寝具１０の利用者Ｈに提供するためのシステムであり、寝具１０と寝具用音響装置２００とを具備する。サラウンドとは、音場に広がりを持たせることで、サラウンド効果とは、サラウンドにより音に包み込まれたような感覚を利用者が得られる効果である。なお、本発明においてサラウンドとは、規格上の意味に限定されるものではなく、上述した定義の通りである。
【００１５】
寝具用音響装置２００は、２個のスピーカ装置２０(１)，２０(２)と信号生成装置３０とを具備する。寝具１０は、例えば寝室に配置されているベッドであり、本実施形態では、寝具１０の利用者Ｈが横臥する際に頭部を向ける方向の側面のみが寝室の壁面Ｗと近い距離に位置するように、寝室に配置されている。寝具１０の利用者Ｈは、信号生成装置３０で生成される音響信号に応じた音、例えば音楽等を寝具１０の面Ｆに横臥しながら聴取する。
【００１６】
図１に例示される通り、スピーカ装置２０(１)は、寝具１０において、利用者Ｈが面Ｆに横臥する際に頭部を向ける方向の側面に設置され、スピーカ装置２０(２)は、寝具１０において、利用者Ｈが面Ｆに横臥する際に足元を向ける方向の側面に設置される。なお、本実施形態では、スピーカ装置２０(１)とスピーカ装置２０(２)との態様は同一のため、スピーカ装置２０(２)の説明は省略する。
【００１７】
図２は、図１におけるスピーカ装置２０(１)をＩ−Ｉ線で切断した断面図である。スピーカ装置２０（１）は、図２に例示される通り、２個の上向スピーカ２１(１)，２１(２)と、２個の下向スピーカ２３(１)，２３(２)と、取付部２５と、拡散材２とを具備する。
【００１８】
２個の上向スピーカ２１(１)，２１(２)の各々は、信号生成装置３０から供給される音響信号に応じて音を寝室内に放音する。具体的には、上向スピーカ２１(１)，２１(２)は、寝具１０の利用者Ｈが横臥する面Ｆに対して上向きに、つまり寝具１０が設置してある寝室の天井に向けて音を放音する。したがって、利用者Ｈは、上向スピーカ２１から放音される直接音ではなくて天井等で反射した反射音を聴取する。
【００１９】
２個の下向スピーカ２３(１)，２３(２)の各々は、信号生成装置３０から供給される音響信号に応じて音を寝室内に放音する。具体的には、下向スピーカ２３は、図２に例示される通り、寝具１０の利用者Ｈが横臥する面Ｆに対して下向きに、つまり寝具１０が設置してある寝室の床面に向けて音を放音する。本実施形態では下向スピーカ２３が音を放音する方向の床面上には拡散材２が設置されているので、下向スピーカ２３から放音される音は、拡散材２によって反射される。したがって、利用者Ｈは、下向スピーカ２３から放音される直接音ではなくて拡散材２で反射した反射音を聴取する。
【００２０】
取付部２５は、上向スピーカ２１および下向スピーカ２３とを寝具１０に取り付け、上向取付部２５２と下向取付部２５４と支柱２５６とを具備する。取付部２５は、寝具１０にネジ等の固着具により固着される。取付部２５について、支柱２５６の有無や、取付部２５の形状および素材は不問である。
【００２１】
上向取付部２５２は、図２に例示される通り、長尺状の形状で面Ｆと平行に支柱２５６の上端部（面Ｆより上方向）に保持され、上向スピーカ２１を寝具１０に取り付ける。具体的には、上向取付部２５２は、２個の上向スピーカ２１(１)，２１(２)の各々を、利用者Ｈが横臥する面Ｆよりも外側に対して音を放音するように傾けた状態で上向取付部２５２の左右端部に保持する。したがって、上向スピーカ２１(１)，２１(２)の各々は、寝具１０において利用者Ｈが横臥する際に頭部を向ける側の左右上端部に位置するように、上向取付部２５２により間接的に寝具１０に取り付けられる。面Ｆよりも外側に対して音を放音するように上向スピーカ２１を傾けるとは、上向スピーカ２１の指向軸Ｄが面Ｆ上の空間を通過しないように、上向スピーカ２１の指向軸Ｄを面Ｆの垂線Ｐを基準(０°)として面Ｆと平行となる角度(９０°)の間に傾けることをいう。つまり、上向スピーカ２１の指向軸Ｄの傾きθは、０°＜θ＜９０°であり、好ましくは０°＜θ≦２０°にする。スピーカの指向軸Ｄとは、スピーカから放音される音が指向する方向である。この例では、指向軸Ｄはスピーカユニットの中心軸と一致する。
【００２２】
図３は、上向スピーカ２１の指向軸Ｄの説明図である。図３は、便宜上、寝具用音響システム１００を簡略化して図示している。ここで、面Ｆ上の空間Ｓとは、図３に例示される通り、寝具１０の面Ｆと寝室の天井Ｔとで挟まれた空間Ｓをいう。したがって、上向スピーカ２１の指向軸Ｄが面Ｆ上の空間を通過しないようにとは、上向スピーカ２１の指向軸Ｄが空間Ｓを通過することなく天井Ｔに突き当たることである。例えば、指向軸Ｄが天井Ｔに突き当たる位置は、０°＜θ≦２０°の場合、図３に例示される通り、垂線Ｐと天井Ｔとが交わる点を交点Ｏとしたとき、θ＝２０°の指向軸Ｄと天井Ｔとの交点Ｚと交点Ｏとの距離を半径とした円Ｅの内側の斜線部分以外の位置である。
【００２３】
本実施形態の上向取付部２５２は、図２に例示される通り、上向スピーカ２１(１)，２１(２)の指向軸Ｄの各々を、壁面Ｗと平行状態を維持したまま上向取付部２５２の中心から離れる方向に（つまり空間Ｓを通過しないように）、垂線Ｐを基準に約２０°傾ける（θ＝２０°）。なお、本実施形態では、寝具用音響装置２００(１)は壁面Ｗと接しているため、指向軸Ｄが壁面Ｗに突き当たらないように、壁面Ｗと平行状態を維持したまま指向軸Ｄを傾ける。
【００２４】
なお、上向取付部２５２は、上向スピーカ２１が面Ｆの外側に対して音を放音するように上向スピーカ２１を保持することが可能であれば、上向取付部２５２の形状および素材は不問である。また、上向スピーカ２１を傾ける最適な角度や方向は、寝室の広さ、上向スピーカ２１の床面からの距離や天井までの距離、および寝室に対する寝具１０を配置する位置により異なる。
【００２５】
下向取付部２５４は、図２に例示される通り、長尺状の形状で面Ｆと平行に支柱２５６の下端部（面Ｆより下方向）に位置し、下向スピーカ２３を寝具１０に取り付ける。具体的には、下向取付部２５４は、２個の下向スピーカ２３(１)，２３(２)の各々を、下向スピーカ２３(１)，２３(２)の指向軸Ｄが面Ｆに対して下方向に垂直の状態で下向取付部２５４の左右端部に保持する。したがって、下向スピーカ２３(１)，２３(２)の各々は、寝具１０において利用者Ｈが横臥する際に頭部を向ける側の左右下端部に位置するように、下向取付部２５４により間接的に寝具１０に取り付けられる。本実施形態において下向スピーカ２３は、下向スピーカ２３の指向軸Ｄが面Ｆに対して下方向に垂直の状態で下向取付部２５４に保持される態様を例示したが、例えば、下向スピーカ２３の指向軸Ｄが面Ｆの垂線Ｐを基準に傾くように下向取付部２５４に保持される態様もとり得る。なお、下向取付部２５４は、下向スピーカ２３を保持することが可能であれば、下向取付部２５４の形状および素材は不問である。
【００２６】
拡散材２は、下向スピーカ２３から放音される音を反射する位置に設置され、下向スピーカ２３から放音される音を反射することによって拡散させる。具体的には、拡散材２は、下向スピーカ２３の指向軸Ｄが拡散材２に突き当たるように床に設置される。拡散材２は音を効率良く反射できるのであれば、形状および素材は不問である。拡散材２は、床面がカーペットなどの音を吸収する素材である場合に有効である。なお、スピーカ装置２０(１)において拡散材２は必須ではない。
【００２７】
ところで、スピーカ装置２０(１)において上向スピーカ２１(１)，２１(２)を傾けない態様、つまり、上向スピーカ２１(１)，２１(２)の指向軸Ｄが面Ｆの垂線Ｐと平行である態様（以下「対比例」という）では、立体的なサラウンド効果が得られにくいという問題と快適な音響空間を利用者Ｈに提供できないという問題とがある。図４は、対比例における上向スピーカ２１(１)，２１(２)が放音する音の説明図である。図４は、壁面Ｗ側から寝室を見た様子を図示し、上向スピーカ２１(１)，２１(２)の放音面は床面から約８０ｃｍの高さに位置し、天井は上向スピーカ２１(１)，２１(２)の放音面から約１７０ｃｍの高さに位置する状況を想定する。なお、便宜上、図３において、壁面Ｗ、寝具１０および信号生成装置３０の図示は省略し、スピーカ装置２０(１)はＩ−Ｉ線での断面図を図示する。また、上向スピーカ２１で多方向に放音される音のうち、上向スピーカ２１(１)，２１(２)の指向軸Ｄにそって放音される直接音Ａ(１)，(２)のみを図示する。
【００２８】
対比例では、図４に例示される通り、上向スピーカ２１(１)，２１(２)は傾いていないため、直接音Ａ(１)，Ａ(２)は天井に対して略直角で反射する。したがって、天井で反射した反射音Ｂ(１)，Ｂ(２)は、拡散しないため寝具１０の左右に広がらず、反射音Ｂ(１)とＢ(２)とが混ざって利用者Ｈに聞こえてしまう。また、天井と床面とで反射を繰り返すことで定在波が発生しやすい。さらには、反射音Ｂ(１)，Ｂ(２)が再度床面で反射した反射音Ｃ(１)，Ｃ(２)と、下向スピーカ２３が拡散材２に向けて放音している音が拡散材２で反射した反射音とが混ざって利用者Ｈに聞こえてしまう。以上の説明から理解される通り、対比例では、反射音が混ざって聞こえることにより立体的なサラウンド効果が得られにくく、また、定在波の発生により、特定の周波数帯域の音が大きく聞こえたり、逆に小さく聞こえたりするため利用者Ｈにとって快適な音響空間とはいえない。なお、上向スピーカ２１(１)，２１(２)から放音される音の反射音を利用者Ｈは聴取することになるため、対比例の上向スピーカ２１(１)，２１(２)は、天井を面として上向スピーカ２１(１)，２１(２)の面対称となる仮想スピーカ５０(１)，５０(２)と等価となる。
【００２９】
図５は、本実施形態における上向スピーカ２１(１)，２１(２)が放音する音の説明図である。対比例とは対照的に、本実施形態の態様によれば、図５に例示される通り、上向スピーカ２１(１)，２１(２)は面Ｆよりも外側に対して音を放音するように傾いているため、直接音Ａ(１)，Ａ(２)は天井に対して傾斜して反射する。天井で反射した反射音Ｂ(１)，Ｂ(２)は、より拡散するため寝具１０の左右に広がり、反射音Ｂ(１)とＢ(２)とが利用者Ｈに分離して聞こえやすくなる。また、反射音Ｂ(１)，Ｂ(２)が再度床面で反射した反射音Ｃ(１)，Ｃ(２)と、下向スピーカ２３が放音している音が拡散材２で反射した反射音とが混ざって利用者Ｈに聞こえる可能性が低減される。したがって、本実施形態の態様では、対比例と比較して、より立体的なサラウンド効果が得られる。以上の説明から理解される通り、本実施形態の寝具用音響システム１００は、上向スピーカ２１および下向スピーカ２３から放音される音の反射音を利用して、より立体的なサラウンド効果を利用者Ｈに提供している。
【００３０】
さらには、本実施形態では、天井と床面とで反射を繰り返すことに起因する定在波の発生が低減される。したがって、本実施形態の態様では、対比例と比較して、より快適な音響空間を利用者Ｈに提供することができる。なお、本実施形態の態様においても対比例と同様に、上向スピーカ２１(１)，２１(２)から放音される音の反射音を利用者Ｈは聴取することになるため、上向スピーカ２１(１)，２１(２)は、天井を面として上向スピーカ２１(１)，２１(２)の面対称となる仮想スピーカ５０(１)，５０(２)と等価となる。
【００３１】
図１の信号生成装置３０は、寝具１０と床面との間の空隙や寝具１０の周囲に設置され、複数のチャンネルの音響信号を生成する。具体的には、信号生成装置３０は、例えば、メモリーカードやＣＤ（compact disk）等の各種媒体に記録された音響データ（例えば楽曲の演奏音）の時間波形を表す８チャンネルの音響信号を生成する。音響データは、信号生成装置３０の記憶装置に予め記憶させておくことや、インターネット等の通信網や放送電波を介して受信することも可能である。８チャンネルは、例えば、フロントレフトチャンネル，フロントライトチャンネル，リアレフトチャンネル，リアライトチャンネル，プレゼンスレフトチャンネル，プレゼンスライトチャンネル，サラウンドバックレフトチャンネルおよびサラウンドバックライトチャンネルである。
【００３２】
上述した通り、寝具用音響システム１００は、２個のスピーカ装置２０(１)，２０(２)を具備するので、寝具用音響システム１００全体として４個の上向スピーカ２１と４個の下向スピーカ２３とで計８個のスピーカを有する。信号生成装置３０は、スピーカケーブル等の有線または近距離無線通信等の無線を介して、音響信号を８個のスピーカに供給する。８個のスピーカの各々には、信号生成装置３０が生成した８チャネルの音響信号のうちの１つが割り当てられる。したがって、相異なる８チャンネルの音響信号に応じた音を８個のスピーカの各々が放音するので、寝具１０の利用者Ｈがより臨場感を感じることができる。
【００３３】
以上の説明から理解される通り、本実施形態では、上向スピーカ２１から放音される音は、寝具１０が置かれている部屋の天井に対して傾斜して反射する。したがって、天井で反射した音がより拡散することで音場が広がるため、立体的なサラウンド効果を寝具１０の利用者Ｈに提供することができる。また、定在波の発生を低減できるので、快適な音響空間を利用者Ｈに提供することが可能である。
【００３４】
本実施形態では、例えばスピーカが利用者Ｈを向くように放音することで直接音を利用者Ｈに聴取させる態様と比較して、寝室内での反射を利用した反射音を利用者Ｈは聴取することができるので、刺激の少ない睡眠時に適した音を利用者Ｈに提供することが可能である。
【００３５】
また、本実施形態では、寝具１０に取り付けられたスピーカによる反射音を利用したサラウンド効果を利用者Ｈに提供しているので、例えば寝室の壁や天井にスピーカを設置して寝具１０に向けて音を放音することで利用者Ｈにサラウンド効果を提供する態様と比較して、寝室の壁や天井ではなく寝具１０にスピーカを取り付ければいいので、スピーカの設置が容易になる。さらには、スピーカと信号生成装置３０がスピーカケーブル等の有線で接続されている場合、壁や天井にスピーカが設置されているとスピーカケーブルの配線には労力が要り、また部屋の見栄えも悪くなる。一方、本実施形態では、スピーカと信号生成装置３０とが比較的局在しているので、スピーカケーブルの配線も容易であり、また部屋の見栄えにもさほど影響しないといった利点がある。
【００３６】
＜変形例＞
以上に例示した態様は多様に変形され得る。具体的な変形の態様を以下に例示する。以下の例示から任意に選択された２個以上の態様は、相互に矛盾しない範囲で適宜に併合され得る。
【００３７】
（１）前述の形態では、スピーカ装置２０(１)，２０(２)は、寝具１０に固着して取り付けたが、スピーカ装置２０(１)，２０(２)を寝具１０の付属装置（アタッチメント）とすることも可能である。以上の態様によれば、スピーカ装置２０(１)，２０(２)の寝具１０への着脱が自由になるという利点がある。
【００３８】
（２）前述の形態では、寝具用音響装置２００は、２個のスピーカ装置２０(１)，２０(２)を具備していたが、どちらか一方のスピーカ装置２０を具備する態様も可能である。
【００３９】
（３）前述の形態では、寝具用音響装置２００は、４個の上向スピーカ２１を具備していたが、上向スピーカ２１の総数は任意である、例えば、上向スピーカ２１を１個とする態様も可能である。上向スピーカ２１を１個とする態様でも、前述の形態と同様の効果が得られる。ただし、複数の上向スピーカ２１を具備する前述の形態によれば、１個の上向スピーカ２１を具備する態様と比較して、上向きに放音する音源の総数が多いのでより立体的なサラウンド効果を寝具１０の利用者Ｈに提供することができる。
【００４０】
また、下向スピーカ２３の総数についても、上向スピーカ２１の総数と同様に任意である。なお、下向スピーカ２３については、寝具用音響装置２００が下向スピーカ２３を具備しない態様も可能である。ただし、上向スピーカ２１と下向スピーカ２３とを具備する前述の態様では、下向スピーカ２３を具備しない態様と比較して、上向スピーカ２１が放音する音が天井で反射する音に加えて、下向スピーカ２３が放音する音が拡散材２（拡散材２を置いていない場合は床面）で反射する音も利用者は聴取することができるので、より立体的なサラウンド効果を寝具１０の利用者Ｈに提供することができる。
【００４１】
（４）前述の形態では、信号生成装置３０は、８チャンネルの音響信号を生成したが、信号生成装置３０が生成する音響信号のチャンネルの総数は任意である。なお、寝具用音響装置２００は、信号生成装置３０を具備しない態様でも特定される。
【００４２】
（５）前述の形態では、２個の上向スピーカ２１(１)，(２)の指向軸Ｄの各々を、壁面Ｗと平行状態を維持したまま上向取付部２５２の中心から離れる方向に約２０°傾ける態様を例示したが、上向スピーカ２１を傾ける角度や方向は、以上の例示に限定されない。上向スピーカ２１を傾ける最適な角度や方向は、寝室の広さ、上向スピーカ２１の床面からの距離や天井までの距離、および寝室に対する寝具１０を配置する位置等の要因により異なる。なお、寝具用音響システム１００が複数の上向スピーカ２１を備える場合は、複数の上向スピーカ２１の各々について傾ける角度や方向を変えることも可能である。
【００４３】
（６）前述の形態では、４個の上向スピーカ２１を寝具１０の４隅に取り付けたが、上向スピーカ２１を取り付ける位置は、以上の例示に限定されない。つまり、上向スピーカ２１を寝具１０に取り付ける位置は任意である。なお、４個の上向スピーカ２１のうちの２個の上向スピーカ２１の各々を、寝具１０において利用者Ｈが横臥する際に頭部を向ける側の左右端部に取り付ける態様によれば、例えば２個の上向スピーカ２１の各々が寝具において利用者が横臥する際に頭部を向ける側の左右端部よりも内側に取り付けられる態様と比較して、２個の上向スピーカ２１の各々が放音した音の天井での反射位置が離れることにより音場が広がる。したがって、より立体的なサラウンド効果を寝具１０の利用者Ｈに提供することができる。また、同様に、下向スピーカ２３を寝具１０に取り付ける位置についても任意である。
【符号の説明】
【００４４】
１００……寝具用音響システム，２００……寝具用音響装置，１０……寝具，２１……上向スピーカ，２３……下向スピーカ，２５……取付部，３０……信号生成装置，５０……仮想スピーカ，２５２……上向取付部，２５４……下向取付部，２５６……支柱，２……拡散材。
【図１】
0006696250.tif 000002
【図２】
0006696250.tif 000003
【図３】
0006696250.tif 000004
【図４】
0006696250.tif 000005
【図５】
0006696250.tif 000006